(57)【要約】【課題】読取部に入射する外光を低減することができる、画像読取装置を提供する。【解決手段】ハウジング２０３とコンタクトガラス２０５との間に、コンタクトガラス２０５上の原稿の画像を読み取るためのＣＩＳユニット２１１が設けられている。ＣＩＳユニット２１１は、キャリッジ２１０に保持されている。キャリッジ２１０の底板部２２１の上面２４５には、ＣＩＳユニット２１１側に突出する突出部２６２が設けられている。【選択図】図４
2014017630.tif 000002
【特許請求の範囲】
【請求項１】
筐体と、
原稿台と、
前記筐体と前記原稿台との間に設けられ、前記原稿台上の原稿の画像を読み取るための読取部と、
前記読取部の読取部底面が対向するキャリッジ底面に前記読取部側に突出して設けられる突出部を備え、移動方向に移動可能に設けられ、前記読取部を保持するキャリッジと、
前記読取部に対して前記原稿台側に配置され、前記読取部によって白基準として読み取られるための白基準部と、を備える画像読取装置。
【請求項２】
前記読取部は、前記移動方向に垂直な垂直方向に延び、
前記キャリッジは、前記移動方向における前記読取部の外側に向けて開口した開口を前記移動方向における前記読取部の外側に備え、
前記突出部は、前記垂直方向において、前記開口と同じ位置の前記キャリッジ底面における設置面に前記読取部側に突出して設けられる、請求項１に記載の画像読取装置。
【請求項３】
前記突出部は、前記移動方向における前記読取部側の端部が前記移動方向における前記開口側の端部よりも高い位置に位置するように傾斜する傾斜面を有する、請求項２に記載の画像読取装置。
【請求項４】
前記突出部は、複数の前記傾斜面を有している、請求項３に記載の画像読取装置。
【請求項５】
前記読取部は、ケーブルの一端が接続されるコネクタを備え、
前記開口は、前記垂直方向において、前記コネクタと同じ位置に位置し、
前記突出部は、前記垂直方向において、前記コネクタ及び前記開口と同じ位置の前記キャリッジ底面における前記設置面に前記読取部側に突出して設けられる、請求項２〜４のいずれか一項に記載の画像読取装置。
【請求項６】
前記読取部は、前記移動方向に垂直な垂直方向に延び、
前記キャリッジは、少なくとも前記垂直方向における前記読取部の一方側に設けられる係合部に係合し、前記読取部を前記係合部の周りに回動可能に支持する回動支持部を備え、
前記読取部を前記原稿台に向けて弾性的に付勢するよう構成された付勢部を備える、請求項１〜５のいずれか一項に記載の画像読取装置。
【請求項７】
前記キャリッジは、前記移動方向における前記読取部の外側において前記キャリッジ底面側から前記原稿台側へ延出した第１延出部と、前記第１延出部から前記移動方向における前記読取部の外側へ延出した第２延出部とを備え、
前記第２延出部は、前記原稿台に対向し、前記移動方向における前記読取部側の端部が前記移動方向における前記読取部の外側の端部よりも高い位置に位置するように傾斜する傾斜面を有する、請求項１〜６のいずれか一項に記載の画像読取装置。
【請求項８】
前記原稿台は、前記白基準部を備える境界部と、透明な材料からなり、前記移動方向における前記境界部の一方側に設けられ、原稿が載置されるよう構成された第１透明部と、透明な材料からなり、前記移動方向における前記境界部の他方側に設けられ、搬送される原稿が通過するよう構成された前記第２透明部とを備える、請求項１〜７のいずれか一項に記載の画像読取装置。
【請求項９】
前記突出部は、前記突出部の前記移動方向における前記一方側の端部が前記移動方向における前記他方側の端部よりも高い位置に位置するように傾斜する傾斜面を有する、請求項８に記載の画像読取装置。
【請求項１０】
前記第１透明部及び前記第２透明部は、前記読取部の上方に配置される１枚のガラス板からなる、請求項８または９に記載の画像読取装置。
【請求項１１】
前記筐体は、前記キャリッジの前記キャリッジ底面と反対側の面に対向するベースを備え、
前記筐体は、前記原稿台側に突出して前記ベースに設けられるベース突出部を備え、
前記ベース突出部は、前記移動方向における前記一方側の端部が前記移動方向における前記他方側の端部よりも高い位置に位置するように傾斜するベース傾斜面を有する、請求項８〜１０のいずれか一項に記載の画像読取装置。
【請求項１２】
筐体と、
原稿台と、
前記筐体と前記原稿台との間に設けられ、前記原稿台上の原稿の画像を読み取るための読取部と、
前記読取部の読取部底面が対向するキャリッジ底面に設けられ、前記キャリッジ底面に向けて入射する外光の前記読取部に向かう反射を低減する反射低減部を備え、前記移動方向に移動可能に設けられ、前記読取部を保持するキャリッジと、
前記読取部に対して前記原稿台側に配置され、前記読取部によって白基準として読み取られるための白基準部と、を備える画像読取装置。
【請求項１３】
前記読取部は、前記移動方向に垂直な垂直方向に延び、
前記キャリッジは、前記移動方向における前記読取部の外側に開口した開口を前記移動方向における前記読取部の外側に備え、
前記反射低減部は、前記開口から前記キャリッジ底面に向けて入射する外光の前記読取部に向かう反射を低減する、請求項１２に記載の画像読取装置。
【請求項１４】
前記原稿台は、前記白基準部を備える境界部と、透明な材料からなり、前記移動方向における前記境界部の一方側に設けられ、原稿が載置されるよう構成された第１透明部と、透明な材料からなり、前記移動方向における前記境界部の他方側に設けられ、搬送される原稿が通過するよう構成された前記第２透明部とを備え、
前記反射低減部は、前記第２透明部から前記キャリッジ底面に向けて入射する外光の前記読取部に向かう反射を低減する、請求項１２または１３に記載の画像読取装置。
【発明の詳細な説明】
【技術分野】
【０００１】
本発明は、原稿の画像を読み取る画像読取装置に関する。
【背景技術】
【０００２】
特許文献１に開示されている画像読取装置は、ガラス板からなる原稿載置台と、原稿載置台の下方に設けられたキャリッジと、キャリッジに保持された読取ユニットとを備えている。画像の読み取りの際には、原稿載置台上に、原稿が読取対象の面を原稿載置台側に向けて載置される。その後、キャリッジがガイドレールに沿って一定速度で移動されながら、読取ユニットから原稿載置台上の原稿に光が照射される。原稿での反射光が読取ユニットのイメージセンサに受けられることにより、原稿に形成されている画像の読み取りが達成される。また、画像読取装置は、原稿載置台上を通過する原稿の画像を読取ユニットにより読み取ることもできる。
【０００３】
画像読取装置は、原稿載置台に対して開閉可能な原稿カバーを備える。原稿カバーが開かれて、原稿載置台に原稿が載置された後、原稿カバーが閉じられる。原稿カバーにより、原稿が原稿載置台に押さえつけられるとともに、原稿載置台が覆われる。これにより、原稿を原稿載置台に密着させることができ、外光が読取ユニットに入り込むことを抑制できる。その結果、原稿の画像を良好に読み取ることができる。
【先行技術文献】
【特許文献】
【０００４】
【特許文献１】特開２００３−１３４３０７号公報
【発明の概要】
【発明が解決しようとする課題】
【０００５】
しかしながら、本などの厚い原稿の画像の読み取りの際には、原稿カバーが閉じられないことがある。原稿カバーが開かれたままであると、外光が読取ユニットに入射し、原稿の画像の読取精度が低下するおそれがある。
【０００６】
本発明の目的は、読取部に入射する外光を低減することができる、画像読取装置を提供することである。
【課題を解決するための手段】
【０００７】
前記の目的を達成するため、本発明の一の局面に係る画像読取装置は、筐体と、原稿台と、前記筐体と前記原稿台との間に設けられ、前記原稿台上の原稿の画像を読み取るための読取部と、前記読取部の読取部底面が対向するキャリッジ底面に前記読取部側に突出して設けられる突出部を備え、移動方向に移動可能に設けられ、前記読取部を保持するキャリッジと、前記読取部に対して前記原稿台側に配置され、前記読取部によって白基準として読み取られるための白基準部とを備える。
【０００８】
この構成によれば、筐体と原稿台との間に、原稿台上の原稿の画像を読み取るための読取部が設けられている。読取部は、キャリッジに保持されている。キャリッジは、読取部の読取部底面が対向するキャリッジ底面を有している。キャリッジ底面には、読取部側に突出する突出部が設けられている。
【０００９】
これにより、キャリッジ底面に入射する外光が突出部で反射するので、キャリッジ底面で反射して読取部に向かう外光を低減させることができる。その結果、外光が読取部に入射することによる原稿の画像の読取精度の低下を抑制できる。
【００１０】
また、読取部に対して原稿台側には、白基準部が設けられている。白基準部は、読取部によって白基準として読み取られる。読取部に入射する外光が低減されるので、白基準部を読取部によって良好に読み取ることができ、良好にシェーディング補正可能な白色データを得ることができる。
【００１１】
読取部は、移動方向に垂直な垂直方向に延び、キャリッジは、移動方向における読取部の外側に向けて開口した開口を移動方向における読取部の外側に備えていてもよい。この場合、突出部は、垂直方向において、開口と同じ位置のキャリッジ底面における設置面に読取部側に突出して設けられることが好ましい。
【００１２】
突出部が垂直方向において開口と同じ位置に設けられているので、開口から入り込む外光がキャリッジ底面で読取部に向けて反射することを抑制できる。
【００１３】
なお、垂直方向における開口と同じ位置とは、開口に対して垂直方向に完全に対向する位置だけでなく、開口の一部と垂直方向に対向する位置を含む。
【００１４】
突出部は、移動方向における読取部側の端部が移動方向における開口側の端部よりも高い位置に位置するように傾斜する傾斜面を有していることが好ましい。
【００１５】
傾斜面の読取部側の端部が開口側の端部よりも高い位置に位置しているので、開口から入り込む外光を傾斜面で開口側に反射させることができる。その結果、読取部に入射する外光を良好に低減させることができる。
【００１６】
突出部は、複数の傾斜面を有していることが好ましい。
【００１７】
開口から入り込む外光を各傾斜面で開口側に反射させることができる。そのため、読取部に入射する外光を一層低減させることができる。
【００１８】
読取部は、ケーブルの一端が接続されるコネクタを備えていてもよい。この場合、開口は、垂直方向において、コネクタと同じ位置に位置していることが好ましい。
【００１９】
開口を利用して、コネクタにケーブルの一端を挿抜させることができる。
【００２０】
読取部は、移動方向に垂直な垂直方向に延び、キャリッジは、少なくとも垂直方向における読取部の一方側に設けられる係合部に係合し、読取部を係合部の周りに回動可能に支持する回動支持部を備えていてもよい。
【００２１】
開口が垂直方向においてコネクタと同じ位置に位置しているので、読取部が回動されるときに、開口内でのケーブルの一端の移動が許容される。その結果、読取部をスムーズに回動させることができるので、付勢部により、読取部を原稿台に向けて良好に弾性的に付勢することができる。
【００２２】
キャリッジは、移動方向における読取部の外側においてキャリッジ底面側から原稿台側へ延出した第１延出部と、第１延出部から移動方向における読取部の外側へ延出した第２延出部とを備えていてもよい。この場合、第２延出部は、原稿台に対向し、移動方向における読取部側の端部が移動方向における読取部の外側の端部よりも高い位置に位置するように傾斜する傾斜面を有していることが好ましい。
【００２３】
第２延出部の傾斜面の読取部側の端部が読取部の外側の端部よりも高い位置に位置しているので、第２延出部の傾斜面に入射する外光を読取部の外側に向けて反射させることができる。その結果、読取部に入射する外光を良好に低減させることができる。
【００２４】
原稿台は、白基準部を備える境界部と、透明な材料からなり、移動方向における境界部の一方側に設けられ、原稿が載置されるよう構成された第１透明部と、透明な材料からなり、移動方向における境界部の他方側に設けられ、搬送される原稿が通過するよう構成された第２透明部とを備えていてもよい。
【００２５】
突出部が設けられているので、読取部によって白基準部が読み取られるときに、第２透明部を透過する外光が読取部に入射することを抑制できる。
【００２６】
突出部は、突出部の移動方向における一方側の端部が移動方向における他方側の端部よりも高い位置に位置するように傾斜する傾斜面を有していることが好ましい。
【００２７】
傾斜面の移動方向における一方側の端部が他方側の端部よりも高い位置に位置しているので、第２透明部を透過する外光を傾斜面で第２透明部側に反射させることができる。そのため、読取部に入射する外光を良好に低減させることができる。
【００２８】
第１透明部及び第２透明部は、読取部の上方に配置される１枚のガラス板からなることが好ましい。
【００２９】
これにより、部品点数を削減することができる。
【００３０】
筐体は、キャリッジのキャリッジ底面と反対側の面に対向するベースを備えていてもよい。この場合、筐体は、原稿台側に突出してベースに設けられるベース突出部を備えていることが好ましい。そして、ベース突出部は、移動方向における一方側の端部が移動方向における他方側の端部よりも高い位置に位置するように傾斜するベース傾斜面を有していることが好ましい。
【００３１】
ベース傾斜面の移動方向における一方側の端部が他方側の端部よりも高い位置に位置しているので、第２透明部を透過してベースに入射する光をベース傾斜面で第２透明部側に反射させることができる。その結果、読取部に入射する外光を良好に低減させることができる。
【００３２】
本発明の他の局面に係る画像読取装置は、原稿台と、前記筐体と前記原稿台との間に設けられ、前記原稿台上の原稿の画像を読み取るための読取部と、前記読取部の読取部底面が対向するキャリッジ底面に設けられ、前記キャリッジ底面に向けて入射する外光の前記読取部に向かう反射を低減する反射低減部を備え、前記移動方向に移動可能に設けられ、前記読取部を保持するキャリッジと、前記読取部に対して前記原稿台側に配置され、前記読取部によって白基準として読み取られるための白基準部とを備える。
【００３３】
この構成によれば、筐体と原稿台との間に、原稿台上の原稿の画像を読み取るための読取部が設けられている。読取部は、キャリッジに保持されている。キャリッジは、読取部の読取部底面が対向するキャリッジ底面を有している。キャリッジ底面には、キャリッジ底面に向けて入射する外光の読取部に向かう反射を低減する反射低減部が設けられている。
【００３４】
これにより、キャリッジ底面に入射する外光の読取部に向かう反射を低減させることができる。その結果、外光が読取部に入射することによる原稿の画像の読取精度の低下を抑制できる。
【００３５】
また、読取部に対して原稿台側には、白基準部が設けられている。白基準部は、読取部によって白基準として読み取られる。読取部に入射する外光が低減されるので、白基準部を読取部によって良好に読み取ることができ、良好にシェーディング補正可能な白色データを得ることができる。
【００３６】
読取部は、移動方向に垂直な垂直方向に延び、キャリッジは、移動方向における読取部の外側に開口した開口を移動方向における読取部の外側に備えていてもよい。
【００３７】
反射低減部により、開口からキャリッジ底面に向けて入射する外光の読取部に向かう反射を低減することができる。
【００３８】
原稿台は、白基準部を備える境界部と、透明な材料からなり、移動方向における境界部の一方側に設けられ、原稿が載置されるよう構成された第１透明部と、透明な材料からなり、移動方向における境界部の他方側に設けられ、搬送される原稿が通過するよう構成された第２透明部とを備えていてもよい。
【００３９】
反射低減部が設けられているので、読取部によって白基準部が読み取られるときに、第２透明部を透過する外光の読取部に向かう反射を低減することができる。
【発明の効果】
【００４０】
本発明によれば、読取部の読取部底面が対向するキャリッジのキャリッジ底面で反射して読取部に向かう外光を低減させることができる。その結果、外光が読取部に入射することによる原稿の画像の読取精度の低下を抑制できる。
【図面の簡単な説明】
【００４１】
【図１】図１は、本発明の一実施形態に係る画像読取部２００が備えられた複合機１００の左前上方から見た斜視図であり、ＡＤＦ２０２が閉じられた状態を示す。
【図２】図２は、前記複合機１００の左前上方から見た斜視図であり、前記ＡＤＦ２０２が開かれた状態を示す。
【図３】図３は、前記画像読取部２００に備えられた画像読取本体部２０１の平面図である。
【図４】図４は、図３に示される切断面線Ａ−Ａにおける前記画像読取本体部２０１の断面図である。
【図５】図５は、図３に示される切断面線Ｂ−Ｂにおける前記画像読取本体部２０１の断面図である。
【図６】図６は、前記画像読取本体部２０１に備えられたキャリッジ２１０の平面図である。
【図７】図７は、前記画像読取本体部２０１に備えられ前記キャリッジ２１０、ＣＩＳユニット２１１及びＦＦＣ２４９の左後上方から見た斜視図である。
【図８】図８は、前記キャリッジ２１０、前記ＣＩＳユニット２１１及び前記ＦＦＣ２４９の左後上方から見た斜視図であり、前記ＣＩＳユニット２１１が前記キャリッジ２１０に着脱される途中の状態を示す。
【図９】図９は、前記キャリッジ２１０に設けられた突出部２６２の断面図である。
【図１０】図１０は、前記画像読取本体部２０１のハウジング２０３に設けられたベース突出部２６５の断面図である。
【図１１】図１１は、前記ＡＤＦ２０２の左前上方から見た斜視図であり、トレイ及びメンテナンスカバーが開かれた状態を示す。
【発明を実施するための形態】
【００４２】
以下では、本発明の実施の形態について、添付図面を参照しつつ詳細に説明する。
【００４３】
＜複合機の外観構成＞
【００４４】
図１に示されるように、複合機１００は、略直方体形状をなしている。複合機１００は、画像読取装置の一例としての画像読取部２００と、画像読取部２００の下方に配置された画像形成部３００とを備えている。
【００４５】
複合機１００が水平面上に載置された状態で、平面視における複合機１００の長手方向を左右方向と規定する。また、平面視における複合機１００の長手方向、及び上下方向と直交する方向を前後方向と規定する。図１以降の各図では、図面の理解を助けるために、その規定された方向を矢印で示す。
【００４６】
画像読取部２００は、扁平な略直方体形状をなしている。画像読取部２００は、画像形成部３００に対し、画像形成部３００の後上端付近において左右方向に延びる軸線を中心として、閉位置と、開位置とに回動可能に設けられている。画像読取部２００は、閉位置において、画像形成部３００上に積み重なる。画像読取部２００は、開位置において、画像形成部３００に対して前側が持ち上がって展開する。
【００４７】
画像読取部２００は、画像読取本体部２０１と、ＡＤＦ（Auto Document
Feeder）２０２とを備える。ＡＤＦ２０２は、画像読取本体部２０１の上方に設けられる。ＡＤＦ２０２は、画像読取本体部２０１に対し、画像読取本体部２０１の後上端付近において左右方向に延びる軸線を中心として、図１に示される閉位置と、図２に示される開位置とに回動可能に設けられている。ＡＤＦ２０２は、閉位置において、画像読取本体部２０１上に積み重なる。ＡＤＦ２０２は、開位置において、画像読取本体部２０１に対して前側が持ち上がって展開する。
【００４８】
画像形成部３００は、略直方体形状をなしている。画像形成部３００の正面の上部には、ユーザによって操作される操作パネルＰが配置されている。
【００４９】
＜画像読取部の画像読取のための構成＞
【００５０】
画像読取部２００は、ハウジング２０３と、コンタクトガラス２０５と、ＣＩＳ（Contact
Image Sensor）ユニット２１１と、キャリッジ２１０と、白基準板２０９と、を備える。
【００５１】
筐体の一例としての樹脂製のハウジング２０３は、図３、図４、及び図５に示されるように、画像読取部２００の画像読取本体部２０１に設けられる。ハウジング２０３は、図３に示されるように、平面視で略矩形状に形成されている。また、ハウジング２０３は、図４、及び図５に示されるように、ベースの一例としての底面２０４を有している。
【００５２】
なお、図４、及び図５においてハッチングが施された部分は、各々、図３に示される切断面線Ａ−Ａ、及び切断面線Ｂ−Ｂにおける画像読取本体部２０１の断面を示す。図４、及び図５においてハッチングが施されていない部分は、各々、前後方向において、図３に示される切断面線Ａ−Ａ、及び切断面線Ｂ−Ｂよりも後側に位置する画像読取本体部２０１の一部分を示す。
【００５３】
原稿台の一例としてのコンタクトガラス２０５は、図３、図４、及び図５に示されるように、ハウジング２０３に保持されている。コンタクトガラス２０５は、左右方向に長い矩形状の透明なガラス板からなる。コンタクトガラス２０５は、ハウジング２０３の前上端部と後上端部との間に架設される。コンタクトガラス２０５は、ハウジング２０３を上方から閉塞するように水平姿勢で配置されている。コンタクトガラス２０５は、境界部の一例としての基準板２０６と、第１透明部の一例である原稿載置台２０７と、第２透明部の一例である原稿接触部２０８とを備える。原稿載置台２０７及び原稿接触部２０８は、一枚のコンタクトガラス２０５からなる。原稿載置台２０７は、基準板２０６とコンタクトガラス２０５の右端縁との間のコンタクトガラス２０５の一部分である。すなわち、原稿載置台２０７は、基準板２０６の右側に設けられる。原稿接触部２０８は、基準板２０６とコンタクトガラス２０５の左端縁との間のコンタクトガラス２０５の一部分である。すなわち、原稿接触部２０８は、基準板２０６の左側に設けられる。原稿載置台２０７は、原稿が載置されるよう構成されたものである。原稿接触部２０８は、搬送される原稿が通過するよう構成されたものである。コンタクトガラス２０５、すなわち原稿載置台２０７及び原稿接触部２０８は、ＣＩＳユニット２１１の上方に配置される。
【００５４】
読取部の一例としてのＣＩＳユニット２１１は、ハウジング２０３の底面２０４とコンタクトガラス２０５との間に設けられている。ＣＩＳユニット２１１は、コンタクトガラス２０５上の原稿の画像を読み取る。ＣＩＳユニット２１１は、原稿載置台２０７の下方に位置するとき、原稿載置台２０７上に載置され、図２に示される原稿押圧板２１３により原稿載置台２０７に押圧される原稿の画像を読み取ることができる。ＣＩＳユニット２１１は、原稿接触部２０８の下方に位置するとき、原稿接触部２０８上を通過する原稿の画像を読み取ることができる。ＣＩＳユニット２１１は、その内部に、たとえば、ＬＥＤ光源、レンズ及びイメージセンサなどを備える。ＣＩＳユニット２１１は、左右方向に垂直な前後方向に延びている。
【００５５】
キャリッジの一例としてのキャリッジ２１０は、ハウジング２０３の底面２０４とコンタクトガラス２０５との間に設けられている。キャリッジ２１０は、ＣＩＳユニット２１１を保持する。ハウジング２０３の底面２０４上には、ガイドレール２１２が設けられている。ガイドレール２１２は、ハウジング２０３と一体成形されている。ガイドレール２１２は、左右方向に延びる突条として形成されている。キャリッジ２１０は、ガイドレール２１２に跨がるように設けられる。キャリッジ２１０は、ガイドレール２１２に案内されつつ左右方向に往復移動可能に設けられる。
【００５６】
境界部の一例としての基準板２０６は、コンタクトガラス２０５上に配置される。基準板２０６は、上下方向において、ＣＩＳユニット２１１に対して、コンタクトガラス２０５側に配置される。基準板２０６は、ＣＩＳユニット２１１によってシェーディング補正時に白基準として読み取られる。基準板２０６は、前後方向に延びる平面視矩形状である。基準板２０６の前後方向の両端部は、図３に示されるように、コンタクトガラス２０５の前後方向の端縁よりも外側に配置されている。基準板２０６は、図３に示すように、左右方向において、コンタクトガラス２０５の左端縁と右端縁との間に位置する。基準板２０６は、白基準板２０９を備える。
【００５７】
白基準部の一例としての白基準板２０９は、上下方向において、ＣＩＳユニット２１１に対して、コンタクトガラス２０５側に配置される。白基準板２０９は、シェーディング補正時にＣＩＳユニット２１１によって白基準として読み取られるための白色の白テープである。白基準板２０９は、基準板２０６の下面に貼られて、基準板２０６の下面に設けられている。
【００５８】
＜キャリッジの構成＞
【００５９】
キャリッジ２１０は、図６、図７、及び図８に示されるように、平面視で前後方向に長い矩形状をなしている。キャリッジ２１０は、樹脂成形品である。キャリッジ２１０は、底板部２２１、後側部２２２、第１左側部２２３、接続部２２４、第２左側部２２５、延出部２２６及び右側部２２７を一体的に備えている。
【００６０】
底板部２２１の後端部である底延出部２２８は、底板部２２１の前側部２２１Ａよりも左右方向に幅広に形成されている。底延出部２２８は、前側部２２１Ａに対して左側に延出する。底延出部２２８は、矩形状である。キャリッジ２１０は、前側部２２１Ａの前方に穴２１０Ｈを備える。穴２１０Ｈは、上下方向に開口した穴である。ＣＩＳユニット２１１の前側の部分は、穴２１０Ｈに入り込むことができる。キャリッジ２１０は、図６に示すように、穴２１０Ｈの左右両側にバネ設置部２１０Ｓを備える。バネ設置部２１０Ｓの上に非図示のコイルスプリングが設けられる。コイルスプリングの上に、図７、及び図８に示されるように、バネホルダ２１０ＳＨが設けられる。バネホルダ２１０ＳＨは、穴２１０Ｈを跨るようにキャリッジの左側から右側にかけて設けられる。ＣＩＳユニット２１１は、図７、及び図８に示されるように、バネホルダ２１０ＳＨの上に設けられる。ＣＩＳユニット２１１は、バネ設置部２１０Ｓ上に設けられた非図示のコイルスプリングにより、バネホルダ２１０ＳＨを介して上方に向けて弾性的に付勢されている。
【００６１】
後側部２２２は、底板部２２１の後端縁から上方に延出する。後側部２２２の上端部には、軸保持孔２２９が前後方向に貫通して形成されている。
【００６２】
第１左側部２２３は、底延出部２２８の左端縁から上方に延出する。第１左側部２２３は、矩形板状をなしている。底延出部２２８の左端部及び第１左側部２２３の下端部に跨がって、ＦＦＣ挿通孔２３０が形成されている。
【００６３】
接続部２２４は、底延出部２２８の前端縁から上方に延出する。接続部２２４は、矩形板状をなしている。接続部２２４の左端縁は、第１左側部２２３の前端縁に接続されている。
【００６４】
第１延出部の一例としての第２左側部２２５は、キャリッジ２１０の左端部である。第２左側部２２５の後側部２２５Ａは、底板部２２１の前側部２２１Ａから上方に延出している。第２左端部２２５は、この後側部２２５Ａから前方に向けて延出しており、前側部２２５Ｂを備える。穴２１０Ｈは、前側部２２５Ｂと右側部２２７との間に位置する。
【００６５】
第２延出部の一例としての延出部２２６は、第２左側部２２５の上端縁から左側に延出している。延出部２２６は、左下がりに傾斜する傾斜面２３１を上面として有している。延出部２２６の後側部２２６Ａは、第２左側部２２５の後側部２２５Ａの上方に位置する。延出部２２６の前側部２２６Ｂは、第２左側部２２５の前側部２２５Ｂの上方に位置する。
【００６６】
右側部２２７は、後側部２２２の右端部に対して間隔を空けて設けられる。右側部２２７は、底板部２２１の右端縁から上方に延びている。右側部２２７は、その前端部に、左右方向に延びる板状の軸保持部２３２を有している。軸保持部２３２には、軸保持孔２３３が前後方向に貫通して形成されている。
【００６７】
キャリッジ２１０は、底延出部２２８の上方に、開口２３４を備えている。開口２３４は、後側部２２２、第１左側部２２３及び接続部２２４に囲まれて形成される。
【００６８】
＜ＣＩＳユニットの構成＞
【００６９】
ＣＩＳユニット２１１は、図７、及び図８に示されるように、前後方向に長い略直方体形状をなしている。ＣＩＳユニット２１１の前端部及び後端部には、図７に示されるように、それぞれ右側に突出するブロック状の突出部２４１，２４２が形成されている。突出部２４１，２４２の後端面には、それぞれ円柱状の支持軸部２４３，２４４が後側に突出して設けられている。
【００７０】
係合部の一例としての支持軸部２４３，２４４は、それぞれ回動支持部の一例としての軸保持孔２３３，２２９に前側から挿入される。これにより、ＣＩＳユニット２１１は、後側部２２２及び軸保持部２３２に回動可能に支持されている。キャリッジ２１０の底板部２２１のキャリッジ底面の一例である上面２４５とＣＩＳユニット２１１の読取部底面の一例としての下面２４６との間には、図５、及び図８に示されるように、付勢部の一例としての圧縮コイルばね２４７が介在されている。圧縮コイルばね２４７、及び前述のバネ設置部２１０Ｓ上に設けられた非図示のコイルスプリングにより、キャリッジ２１０は、上方に向けて弾性的に付勢されている。この付勢により、ＣＩＳユニット２１１は、コンタクトガラス２０５に密着させられる。
【００７１】
キャリッジ２１０は、スペーサコロ２１０ＳＰを備える。スペーサコロ２１０ＳＰは、コンタクトガラス２０５とＣＩＳユニット２１１との間隔を調整するためのスペーサである。スペーサコロ２１０ＳＰは、キャリッジ２１０の左右方向の移動にともない回転しながらコンタクトガラス２０５に対し摺動する。
【００７２】
＜ＦＦＣ＞
【００７３】
ＣＩＳユニット２１１は、その下面２４６の後端部に、図８に示されるように、コネクタ２４８を備える。コネクタ２４８は、前後方向において、開口２３４と同じ位置に位置している。ケーブルの一例としてのＦＦＣ（Flexible Flat Cable：フレキシブルフラットケーブル）２４９の一端部に設けられた端子は、コネクタ２４８に接続される。ＦＦＣ２４９の他端部は、不図示の制御基板に接続される。これにより、ＣＩＳユニット２１１は、ＦＦＣ２４９を介して、制御基板と電気的に接続される。
【００７４】
ＦＦＣ２４９の一端部がコネクタ２４８に接続される際には、図８に示されるように、ＣＩＳユニット２１１は、その下面２４６が上下方向に延びる位置に配置される。そして、ＦＦＣ２４９の一端部がＦＦＣ挿通孔２３０に外側、つまり左側から挿入される。このとき、底延出部２２８の上方に開口２３４が形成されているので、作業者の指等がキャリッジ２１０に衝突せずに、ＦＦＣ２４９の一端部をスムーズにコネクタ２４８に接続することができる。
【００７５】
ＦＦＣ２４９の一端部がコネクタ２４８に上方から挿入される。その後、ＣＩＳユニット２１１は、回動により、その下面２４６がキャリッジ２１０の底板部２２１の上面２４５と対向する位置に配置される。このとき、底延出部２２８の上方に開口２３４が形成されているので、ＦＦＣ２４９がキャリッジ２１０に衝突せずに、ＣＩＳユニット２１１をスムーズに回動させることができる。
【００７６】
＜反射防止部＞
【００７７】
そして、第１反射防止部２６１は、図６に示されるように、キャリッジ２１０の底板部２２１の上面２４５に設けられている。上面２４５は、前後方向において、開口２３４と同じ位置に位置している。すなわち、設置面の一例としての上面２４５は、底板部２２５の上面のうち後側の上面である。第１反射防止部２６１は、図４に示されるように、複数の突出部２６２を備える。複数の突出部２６２は、左右方向に隣接して並列に設けられている。そして、各突出部２６２は、図９に示されるように、左下がりに傾斜する傾斜面２６３を有する断面略三角形状をなす。各突出部２６２は、前後方向に延びる突条である。
【００７８】
第２反射防止部２６４は、図３に示されるように、ハウジング２０３の底面２０４に設けられる。第２反射部２６４は、原稿接触部２０８の略前半分の部分と上下方向において対向する。第２反射防止部２６４は、図１０に示されるように、複数のベース突出部２６５を備える。複数のベース突出部２６５は、左右方向に隣接して並列に設けられている。そして、各ベース突出部２６５は、左下がりに傾斜するベース傾斜面２６６を有する断面略三角形状をなす。各ベース突出部２６５は、前後方向に延びる突条である。
【００７９】
＜ＡＤＦの構成＞
【００８０】
トレイ２５１は、図１に示されるように、ＡＤＦ２０２の上面の左右方向の中央部に設けられている。トレイ２５１は、平面視で略矩形状をなしている。トレイ２５１は、前後方向に延びる軸線を中心とした回動により開閉可能に設けられている。トレイ２５１が閉じられた状態において、トレイ２５１の外面は、ＡＤＦ２０２の上面をなす。トレイ２５１が閉じられた状態から開かれるときには、閉じられた状態のトレイ２５１の左端部が持ち上げられて、トレイ２５１が右側に回動される。トレイ２５１は、開かれた状態において、図１１に示されるように、右上がりに傾斜して延びる。 
【００８１】
メンテナンスカバー２５２は、図１に示されるように、ＡＤＦ２０２の上面の右端部に設けられている。メンテナンスカバー２５２は、平面視で略矩形状をなしている。メンテナンスカバー２５２は、前後方向に延びる軸線を中心とした回動により開閉可能に設けられている。メンテナンスカバー２５２が閉じられた状態において、メンテナンスカバー２５２の外面は、ＡＤＦ２０２の上面をなす。メンテナンスカバー２５２は、開かれた状態において、図１１に示されるように、左上がりに傾斜して延びる。
【００８２】
＜原稿搬送のための構成＞
【００８３】
ＡＤＦ２０２は、トレイ２５１が開かれることによって露出する部分に、図１１に示されるように、供給部２５３及び排出部２５４を備えている。
【００８４】
供給部２５３は、排出部２５４の下方に位置している。供給部２５３の上面の右端部は、開かれた状態のトレイ２５１の内面に微小な隙間を空けて接続される。
【００８５】
供給部２５３は、１対の原稿幅ガイド２５５を備える。１対の原稿幅ガイド２５５は、互いに前後方向に対向している。各原稿幅ガイド２５５は、案内壁２５６と、ひさし２５７とを有している。案内壁２５６は、供給部２５３の上面から垂直に立ち上がる。ひさし２５７は、案内壁２５６の上端縁から前後方向の内側に延出する。１対の原稿幅ガイド２５５は、それらの間の中央を基準として、互いに同じ移動量で近接及び離間可能に構成されている。
【００８６】
排出部２５４は、供給部２５３の上方に、供給部２５３と間隔を空けて設けられている。排出部２５４は、前後方向及び左右方向に延びる矩形板状をなしている。
【００８７】
３個のＬＦローラ２５８は、メンテナンスカバー２５２が開かれることによって露出する部分に回転可能に設けられている。３個のＬＦローラ２５８は、前後方向に延びる不図示の軸に支持されて、前後方向に間隔を空けて配置されている。
【００８８】
ＬＦローラ２５８の周面の最上点と排出部２５４との間には、ガイド部材２５９がそれらに跨がるように設けられている。
【００８９】
ＡＤＦ２０２の使用時、つまり原稿の搬送時には、１対の原稿幅ガイド２５５の間の間隔が原稿の幅に合わされる。そして、原稿は、１対の原稿幅ガイド２５５の間に右側から差し込まれることにより、供給部２５３及びトレイ２５１上に跨がってセンタ基準で載置される。
【００９０】
供給部２５３及びトレイ２５１上に載置された原稿は、不図示の供給ローラにより、供給部２５３から左方に引き込まれ、ＬＦローラ２５８の下方に向けて搬送される。その後、原稿は、ＬＦローラ２５８の周面に沿って搬送されることにより、搬送方向が左方向から右方向に折り返される。そして、原稿は、ガイド部材２５９上を右方向に搬送されて、排出部２５４上に排出される。原稿の右端部は、排出部２５４を越えて、ひさし２５７又はトレイ２５１上に載置される。原稿の左端部は、排出部２５４上に残って、排出部２５４又はひさし２５７上に載置される。なお、供給部２５３にセットされた原稿の上方には、原稿幅ガイド２５５のひさし２５７が位置するため、排出部２５４及びトレイ２５１上に跨って載置される排出後の原稿と供給部２５３及びトレイ２５１上に跨がって載置されている搬送前の原稿とは混合しない。
【００９１】
＜画像の読み取り＞
【００９２】
画像読取部２００では、フラットベッド方式により、原稿の画像を読み取ることができる。
【００９３】
フラットベット方式による画像の読み取りの際には、ＡＤＦ２０２が画像読取本体部２０１上に積み重なった閉位置から前側が持ち上がって展開した開位置に変位される。これにより、原稿載置台２０７が露出する。この露出した原稿載置台２０７上に、原稿が読取対象の面を原稿載置台２０７側に向けて載置される。その後、ＡＤＦ２０２が画像読取本体部２０１上に積み重なった閉位置に戻される。原稿が原稿押圧板２１３によりコンタクトガラス２０５に押圧される。そして、ＣＩＳユニット２１１がキャリッジ２１０とともに待機位置から右方に一定速度で移動されながら、ＣＩＳユニット２１１から原稿載置台２０７上の原稿に光が照射される。原稿での反射光がＣＩＳユニット２１１のイメージセンサに受けられることにより、原稿に形成されている画像の読み取りが達成される。
【００９４】
また、画像読取部２００では、ＡＤＦ方式により、シート状の原稿の画像を読み取ることができる。
【００９５】
ＡＤＦ方式による画像の読み取りの際には、ＣＩＳユニット２１１が待機位置から原稿接触部２０８に下方から対向する位置に移動され、その位置に固定的に配置される。また、ＡＤＦ方式による画像の読み取りの際には、ＡＤＦ２０２が使用される。ＡＤＦ２０２による原稿は、その搬送の途中で、原稿接触部２０８に接触しつつ移動する。このとき、ＣＩＳユニット２１１から原稿接触部２０８に接触している原稿に光が照射される。原稿での反射光がＣＩＳユニット２１１のイメージセンサに受けられることにより、原稿に形成されている画像の読み取りが達成される。
【００９６】
＜作用効果＞
【００９７】
以上のように、キャリッジ２１０の底板部２２１の上面２４５には、ＣＩＳユニット２１１側に突出する突出部２６２が設けられている。
【００９８】
これにより、図４に示されるように、キャリッジ２１０の底板部２２１の上面２４５に入射する外光Ｎが突出部２６２で反射するので、上面２４５で反射してＣＩＳユニット２１１に向かう外光Ｎを低減させることができる。その結果、外光ＮがＣＩＳユニット２１１に入射することによる原稿の画像の読取精度の低下を抑制できる。
【００９９】
また、ＣＩＳユニット２１１に入射する外光Ｎが低減されるので、白基準板２０９をＣＩＳユニット２１１によって良好に読み取ることができ、良好にシェーディング補正できる。
【０１００】
ＣＩＳユニット２１１は、前後方向に延び、キャリッジ２１０は、左側に向けて開口した開口２３４をＣＩＳユニット２１１の左側に備えている。そして、突出部２６２は、キャリッジ２１０の底板部２２１の上面２４５において、開口２３４と前後方向の同じ位置に設けられている。
【０１０１】
これにより、開口２３４からキャリッジ２１０に外光Ｎが入り込んだとしても、突出部２６２により入射する外光Ｎが突出部２６２で反射する。従って、開口２３４から入り込む外光Ｎがキャリッジ２１０の底板部２２１の上面２４５でＣＩＳユニット２１１に向けて反射することを抑制できる。
【０１０２】
なお、「突出部２６２が前後方向において開口２３４と同じ位置の上面２４５に設けられる」とは、開口２３４に対して前後方向に完全に対向する位置だけでなく、突出部２６２が開口２３４の一部と前後方向に対向する位置をも含む。また、「突出部２６２が前後方向において開口２３４と同じ位置の上面２４５に設けられる」とは、突出部２６２の一部が開口２３４と前後方向に対向する位置をも含む。
【０１０３】
突出部２６２は、右端部が左端部よりも高い位置に位置するように傾斜する、つまり、突出部２６２は、左下がりに傾斜する傾斜面２６３を有している。
【０１０４】
傾斜面２６３が左下がりに傾斜しているので、図９に示されるように、開口２３４から入り込む外光Ｎを傾斜面２６３で開口２３４側、つまり矢印Ｒで示される側に反射させることができる。その結果、ＣＩＳユニット２１１に入射する外光Ｎを良好に低減させることができる。
【０１０５】
突出部２６２は、複数の傾斜面２６３を有している。
【０１０６】
開口２３４から入り込む外光Ｎを各傾斜面２６３で開口２３４側に反射させることができる。そのため、ＣＩＳユニット２１１に入射する外光Ｎを一層低減させることができる。
【０１０７】
ＣＩＳユニット２１１は、ＦＦＣ２４９の一端が接続されるコネクタ２４８を備えている。そして、開口２３４は、前後方向において、コネクタ２４８と同じ位置に位置している。
【０１０８】
開口２３４を利用して、コネクタ２４８にＦＦＣ２４９の一端を挿抜させることができる。また、開口２３４からキャリッジ２１０に外光Ｎが入り込んだとしても、突出部２６２により入射する外光Ｎが突出部２６２で反射する。従って、開口２３４から入り込む外光Ｎがキャリッジ２１０の底板部２２１の上面２４５でＣＩＳユニット２１１に向けて反射することを抑制できる。
【０１０９】
ＣＩＳユニット２１１は、支持軸部２４３，２４４を支点に回動可能に設けられている。
【０１１０】
開口２３４が前後方向にコネクタ２４８と同じ位置に位置しているので、ＣＩＳユニット２１１が回動されるときに、開口２３４内でのＦＦＣ２４９の一端の移動が許容される。その結果、ＣＩＳユニット２１１をスムーズに回動させることができるので、圧縮コイルばね２４７により、ＣＩＳユニット２１１をコンタクトガラス２０５に向けて良好に弾性的に付勢することができる。
【０１１１】
キャリッジ２１０は、第２左側部２２５及び延出部２２６を備えている。延出部２２６は、ＣＩＳユニット２１１の左側に配置されて、右端部が左端部よりも高い位置に位置するように傾斜する、つまり、延出部２２６は、左下がりに傾斜する傾斜面２３１をコンタクトガラス２０５に対向する上面として有している。
【０１１２】
左側から傾斜面２３１に入射する外光Ｎを左側に向けて反射させることができる。その結果、ＣＩＳユニット２１１に入射する外光Ｎを良好に低減させることができる。
【０１１３】
白基準板２０９を備える基準板２０６の右側には、原稿が載置されるよう構成された原稿載置台２０７が設けられている。また、基準版２０６の左側には、搬送される原稿が通過するよう構成された原稿接触部２０８が設けられている。
【０１１４】
そのため、フラットベッド方式により原稿の画像を読み取る前のシェーディング補正時に、原稿接触部２０８から画像読取本体部２０１内部に外光Ｎが入り込み易い。そして、白基準板２０９が、左右方向において、原稿載置台２０７と原稿接触部２０８との間に位置するため、外光Ｎに対し何ら対策がなされていない従来技術では、入り込んだ外光Ｎがシェーディング補正に影響する可能性がある。しかし、画像読取部２００は、突出部２６２を備えるので、ＣＩＳユニット２１１によって白基準板２０９が読み取られるときに、原稿接触部２０８を透過する外光ＮがＣＩＳユニット２１１に入射することを抑制できる。すなわち、良好にシェーディング補正できる。
【０１１５】
原稿載置台２０７及び原稿接触部２０８は、ＣＩＳユニット２１１の上方に配置される１枚のコンタクトガラス２０５からなる。
【０１１６】
これにより、部品点数を削減することができる。
【０１１７】
複数のベース突出部２６５は、ハウジング２０３の底面２０４にベース突出部設けられている。各ベース突出部２６５は、右端部が左端部よりも高い位置に位置するように傾斜する、つまり、各ベース突出部２６５は、左下がりに傾斜するベース傾斜面２６６を有している。
【０１１８】
ベース傾斜面２６６が左下がりに傾斜しているので、図１０に示されるように、原稿接触部２０８を透過して底面２０４に入射する外光Ｎをベース傾斜面２６６で原稿接触部２０８側、つまり矢印Ｒで示される側に反射させることができる。その結果、ＣＩＳユニット２１１に入射する外光を良好に低減させることができる。
【０１１９】
＜変形例＞
【０１２０】
以上、本発明の一実施形態について説明したが、本発明は、他の形態で実施することもできる。
【０１２１】
たとえば、キャリッジ２１０には、複数の突出部２６２が備えられているとしたが、１つの突出部２６２のみが備えられていてもよい。この場合、突出部２６２は、たとえば、開口２３４と前後方向に同じ位置であって、ＣＩＳユニット２１１の下方に配置され、その上端部がＣＩＳユニット２１１の下面２４６と微小な間隔を空けて対向していることが好ましい。これにより、１つの突出部２６２によっても、ＣＩＳユニット２１１に入射する外光を良好に低減させることができる。
【０１２２】
また、前述の実施形態では、画像読取部２００が画像形成部３００と組み合わされて、これらが複合機１００を構成している。しかしながら、画像読取部２００は、それ単独でスキャナを構成してもよい。
【０１２３】
また、傾斜面２３１に、複数の突出部が左右方向に隣接して並列に形成されていてもよい。各突出部は、左下がりに傾斜する傾斜面を有する断面略三角形状をなす。各突出部は、前後方向に延びる突条をなす。
【０１２４】
その他、前述の構成には、特許請求の範囲に記載された事項の範囲で種々の設計変更を施すことが可能である。
【符号の説明】
【０１２５】
２００  画像読取部
２０３  ハウジング
２０４  底面
２０５  コンタクトガラス
２０６  基準板
２０７  原稿載置台
２０８  原稿接触部
２０９  白基準板
２１０  キャリッジ
２１１  ＣＩＳユニット
２２１  底板部
２２５  第２左側部
２２６  延出部
２２９  軸保持孔
２３１  傾斜面
２３３  軸保持孔
２３４  開口
２４３  支持軸部
２４４  支持軸部
２４５  上面
２４６  下面
２４７  圧縮コイルばね
２４８  コネクタ
２４９  ＦＦＣ
２６２  突出部
２６３  傾斜面
２６５  ベース突出部
２６６  ベース傾斜面
【図１】
2014017630.tif 000003
【図２】
2014017630.tif 000004
【図３】
2014017630.tif 000005
【図４】
2014017630.tif 000006
【図５】
2014017630.tif 000007
【図６】
2014017630.tif 000008
【図７】
2014017630.tif 000009
【図８】
2014017630.tif 000010
【図９】
2014017630.tif 000011
【図１０】
2014017630.tif 000012
【図１１】
2014017630.tif 000013